【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
二次電池を充電する充電スタンドに接続可能なデジタルカメラであって、
カメラ本体が充電スタンドに接続された際に、カメラ電源がオン状態で接続されたか否かを判別する判別手段と、
この判別手段によってカメラ電源がオン状態で接続されたことが判別された際に、記録保存されている撮影済み画像の中から再生対象として選択された画像をスライドショー形式でカメラ画面に逐次切り換え表示する表示制御手段と、
を具備したことを特徴とするデジタルカメラ。
【請求項２】
コンピュータに対して、
カメラ本体が充電スタンドに接続された際に、カメラ電源がオン状態で接続されたか否かを判別する機能と、
カメラ電源がオン状態で接続されたことが判別された際に、記録保存されている撮影済み画像の中から再生対象として選択された画像をスライドショー形式でカメラ画面に逐次切り換え表示する機能と、
を実現させるためのプログラム。
【請求項３】
二次電池を充電する充電スタンドに接続可能なデジタルカメラであって、
カメラ本体が充電スタンドに接続された際に、カメラ動作モードとして再生モードにセットされているか否かを判別する判別手段と、
この判別手段によって再生モードにセットされていることが判別された際に、記録保存されている撮影済み画像の中から再生対象として選択された画像をスライドショー形式でカメラ画面に逐次切り換え表示する表示制御手段と、
を具備したことを特徴とするデジタルカメラ。
【請求項４】
コンピュータに対して、
カメラ本体が充電スタンドに接続された際に、カメラ動作モードとして再生モードにセットされているか否かを判別する機能と、
再生モードにセットされていることが判別された際に、記録保存されている撮影済み画像の中から再生対象として選択された画像をスライドショー形式でカメラ画面に逐次切り換え表示する機能と、
を実現させるためのプログラム。
【請求項５】
前記表示制御手段は、撮影済み画像の中から再生対象の画像を選択する際に、現在日付に基づいて当日撮影の画像を特定し、この画像を再生対象画像として選択する、
ようにしたことを特徴とする請求項１、３何れか記載のデジタルカメラ。
【請求項６】
前記表示制御手段は、撮影済み画像の中から再生対象の画像を選択する際に、予め撮影済み画像の中から区分けしておいた画像を再生対象画像として選択する、
ようにしたことを特徴とする請求項１、３何れか記載のデジタルカメラ。
【請求項７】
二次電池を充電する充電スタンドに接続可能なデジタルカメラであって、
カメラ本体が充電スタンドに接続された際に、現在日付を取得する取得手段と、
この取得手段によって得られた現在日付に基づいて当日に撮影された撮影済み画像が存在しているか否かを判別する判別手段と、
この判別手段によって当日撮影の画像が存在していることが判別された際に、記録保存されている撮影済み画像の中から再生対象として選択された当日撮影の画像をカメラ画面に再生表示する表示制御手段と、
を具備したことを特徴とするデジタルカメラ。
【請求項８】
前記選択手段によって当日撮影の画像が複数選択された場合に、前記表示制御手段は、この複数の画像をスライドショー形式でカメラ画面に逐次切り換え表示する、
ようにしたことを特徴とする請求項７記載のデジタルカメラ。
【請求項９】
コンピュータに対して、
カメラ本体が充電スタンドに接続された際に、現在日付を取得する機能と、
現在日付に基づいて当日に撮影された撮影済み画像が存在しているか否かを判別する機能と、
当日撮影の画像が存在していることが判別された際に、記録保存されている撮影済み画像の中から再生対象として選択された当日撮影の画像をカメラ画面に再生表示する機能と、
を実現させるためのプログラム。
【手続補正２】
【補正対象書類名】明細書
【補正対象項目名】０００４
【補正方法】変更
【補正の内容】
【０００４】
第１の発明の課題は、カメラ本体を充電スタンドに接続した際にカメラ電源のオン／オフ状態をチェックする機能を追加するだけで、スライドショー形式の画像再生動作を制御できるようにすることである。
第２の発明の課題は、カメラ本体を充電スタンドに接続した際にカメラ動作モードをチェックする機能を追加するだけで、スライドショー形式の画像再生を制御できるようにすることである。
第３の発明の課題は、カメラ本体を充電スタンドに接続した際に当日に撮影された画像の有無をチェックする機能を追加するだけで、画像再生動作を制御できるようにすることである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項１記載の発明（第１の発明）は、二次電池を充電する充電スタンドに接続可能なデジタルカメラであって、カメラ本体が充電スタンドに接続された際に、カメラ電源がオン状態で接続されたか否かを判別する判別手段と、この判別手段によってカメラ電源がオン状態で接続されたことが判別された際に、記録保存されている撮影済み画像の中から再生対象として選択された画像をスライドショー形式でカメラ画面に逐次切り換え表示する表示制御手段とを具備したことを特徴とする。
さらに、コンピュータに対して、上述した請求項１記載の発明に示した主要機能を実現させるためのプログラムを提供する（請求項２記載の発明）。
なお、「スライドショー形式」とは、複数の画像(動画あるいは静止画)を順次切り換えながら再生表示する以外にも、１つの画像(動画あるいは静止画)を再生表示する場合も含み、さらには、画像の自動送りのほかに、マニュアル操作によって画像を切り換えてもよい。したがって、広義には単なる画像の再生表示と同義である(以下、同様)。
【手続補正８】
【補正対象書類名】明細書
【補正対象項目名】００１０
【補正方法】変更
【補正の内容】
【００１０】
請求項３記載の発明（第２の発明）は、二次電池を充電する充電スタンドに接続可能なデジタルカメラであって、カメラ本体が充電スタンドに接続された際に、カメラ動作モードとして再生モードにセットされているか否かを判別する判別手段と、この判別手段によって再生モードにセットされていることが判別された際に、記録保存されている撮影済み画像の中から再生対象として選択された画像をスライドショー形式でカメラ画面に逐次切り換え表示する表示制御手段とを具備したことを特徴とする。
さらに、コンピュータに対して、上述した請求項３記載の発明に示した主要機能を実現させるためのプログラムを提供する（請求項４記載の発明）。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
請求項７記載の発明（第３の発明）は、二次電池を充電する充電スタンドに接続可能なデジタルカメラであって、カメラ本体が充電スタンドに接続された際に、現在日付を取得する取得手段と、この取得手段によって得られた現在日付に基づいて当日に撮影された撮影済み画像が存在しているか否かを判別する判別手段と、この判別手段によって当日撮影の画像が存在していることが判別された際に、記録保存されている撮影済み画像の中から再生対象として選択された当日撮影の画像をカメラ画面に再生表示する表示制御手段とを具備したことを特徴とする
さらに、コンピュータに対して、上述した請求項７記載の発明に示した主要機能を実現させるためのプログラムを提供する（請求項９記載の発明）。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
請求項１記載の発明（第１の発明）によれば、カメラ本体が充電スタンドに接続された際に、カメラ電源がオン状態のままで接続された場合には、撮影済み画像の中から再生対象として選択された画像をスライドショー形式でカメラ画面に逐次切り換え表示するようにしたから、カメラ本体を充電スタンドに接続した際にカメラ電源のオン／オフ状態をチェックする機能を追加するだけで、スライドショー形式の画像再生動作を制御することができ、ユーザに特別な操作を要求することなく、スライドショー形式の画像再生を開始することができ、ユーザが意図する通りの画像再生が可能となる。
【手続補正１７】
【補正対象書類名】明細書
【補正対象項目名】００１９
【補正方法】変更
【補正の内容】
【００１９】
請求項３記載の発明（第２の発明）によれば、カメラ本体が充電スタンドに接続された際に、カメラ動作モードとして再生モードにセットされている場合には、撮影済み画像の中から再生対象として選択された画像をスライドショー形式でカメラ画面に逐次切り換え表示するようにしたから、カメラ本体を充電スタンドに接続した際にカメラ動作モードをチェックする機能を追加するだけで、スライドショー形式の画像再生を制御することができ、ユーザに特別な操作を要求することなく、スライドショー形式の画像再生を開始することができ、ユーザが意図する通りの画像再生が可能となる。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
請求項７記載の発明（第３の発明）によれば、カメラ本体が充電スタンドに接続された際に、現在日付に基づいて当日に撮影された撮影済み画像が存在している場合には、撮影済み画像の中から再生対象として選択された当日撮影の画像をカメラ画面に再生表示するようにしたから、カメラ本体を充電スタンドに接続した際に当日に撮影された画像の有無をチェックする機能を追加するだけで、画像再生動作を制御することができ、ユーザに特別な操作を要求することなく、ユーザが意図する通りの画像再生が可能となる。
【手続補正２０】
【補正対象書類名】明細書
【補正対象項目名】００２２
【補正方法】削除
【補正の内容】